(57)【要約】【課題】携帯機を大型化することなく、携帯機を盗難されたり紛失したりした場合であっても、第三者による該携帯機を用いたドア錠の解錠を抑制することができる電子キーシステムを提供する。【解決手段】ＩＤコードを記憶した携帯機１２と、ＩＤコードを記憶した作動制御装置１３とを備え、作動制御装置１３は携帯機１２との双方向通信により両ＩＤコードが一致した場合にドア錠の解錠を許可する電子キーシステム１１において、作動制御装置１３は、携帯機１２との双方向通信の確立からの経過時間を計数し、計数値が閾値未満の場合に携帯機１２との双方向通信による両ＩＤコードが一致すると計数値をリセットし、かつドア錠の解錠を許可し、計数値が閾値以上の場合に携帯機１２との双方向通信による両ＩＤコードが一致してもドア錠の解錠を許可しない。【選択図】      図１
2006022567.tif 000002
【特許請求の範囲】
【請求項１】
該携帯機毎に個別に設定されたＩＤコードを記憶した携帯機と、対応する携帯機のＩＤコードと同一のＩＤコードを記憶した作動制御装置とを備え、
前記作動制御装置は、前記携帯機との双方向通信を確立させるためにリクエスト信号を送信する第１送信手段を有し、
前記携帯機は、前記作動制御装置からの前記リクエスト信号に応答して前記ＩＤコードを含むＩＤコード信号を送信する第２送信手段を有し、
前記作動制御装置は、前記携帯機との双方向通信により両ＩＤコードが一致した場合にドア錠の解錠を許可する制御手段を有している電子キーシステムにおいて、
前記作動制御装置は、前記携帯機との双方向通信の確立からの経過時間を計数する計数手段を備え、
前記制御手段は、前記計数手段が計数している計数値が閾値を跨いでいない場合に前記携帯機との双方向通信による両ＩＤコードが一致すると前記計数値をリセットし、かつ前記ドア錠の解錠を許可し、前記計数値が前記閾値を跨いだ場合に前記携帯機との双方向通信による両ＩＤコードが一致しても前記ドア錠の解錠を許可しないことを特徴とする電子キーシステム。
【請求項２】
前記リクエスト信号には、第１リクエスト信号と第２リクエスト信号とがあり、
前記第１送信手段は、ドアを基準に屋内へ向けて前記第１リクエスト信号を送信し、前記ドアを基準に屋外へ向けて前記第２リクエスト信号を送信し、
前記制御手段は、
前記第１リクエスト信号の送信に基づく双方向通信により両ＩＤコードが一致した場合には前記計数値が前記閾値を跨いだか否かに拘わらず前記計数値をリセットし、かつ前記ドア錠の解錠を許可し、
前記計数値が前記閾値を跨いでいない場合でかつ前記第２リクエスト信号の送信に基づく双方向通信により両ＩＤコードが一致した場合に前記計数値をリセットし、かつ前記ドア錠の解錠を許可し、
前記計数値が前記閾値を跨いだ場合に前記第２リクエスト信号の送信に基づく双方向通信により両ＩＤコードが一致しても前記ドア錠の解錠を許可しないことを特徴とする請求項１に記載の電子キーシステム。
【請求項３】
前記作動制御装置は、前記閾値を人によって設定可能な設定手段を備えていることを特徴とする請求項１又は請求項２に記載の電子キーシステム。
【請求項４】
前記作動制御装置は、前記屋外に居る人によって復帰処理される復帰手段を備え、
前記作動制御装置は、前記復帰手段の復帰処理が完了しかつ前記携帯機との双方向通信により両ＩＤコードが一致した場合に、前記計数値が前記閾値を跨いだか否かに拘わらず前記ドア錠の解錠を許可することを特徴とする請求項１乃至請求項３のうちいずれか１項に記載の電子キーシステム。
【請求項５】
前記作動制御装置は、
前記屋外に居る人によって復帰処理される復帰手段と、
前記復帰手段の復帰処理が完了したことに基づいてトランスポンダ起動用電波を前記ドアを基準に前記屋外へ出力する電磁波発生手段とを備え、
前記携帯機は、該携帯機毎に個別に設定されたトランスポンダコードを記憶しており、
前記作動制御装置は、対応する携帯機のトランスポンダコードと同一のトランスポンダコードを記憶しており、
前記携帯機は、前記トランスポンダ起動用電波から電力を得ることにより、前記トランスポンダコードを含むトランスポンダコード信号を送信する第３送信手段を備え、
前記制御手段は、受信した前記トランスポンダコード信号に含まれる前記トランスポンダコードと、自身のトランスポンダコードとが一致した場合に前記ドア錠の解錠を許可することを特徴とする請求項１乃至請求項３のうちいずれか１項に記載の電子キーシステム。
【請求項６】
前記携帯機は、複数の携帯機側操作スイッチを備え、
前記携帯機は、前記複数の携帯機側操作スイッチが特定の方法で操作された場合に、電磁波出力要求信号を出力し、
前記作動制御装置は、前記電磁波出力要求信号を受信する受信手段と、前記受信手段により前記電磁波出力要求信号が受信されたことに基づいてトランスポンダ起動用電波を前記ドアを基準に前記屋外へ出力する電磁波発生手段とを備え、
前記携帯機は、該携帯機毎に個別に設定されたトランスポンダコードを記憶しており、
前記作動制御装置は、対応する携帯機のトランスポンダコードと同一のトランスポンダコードを記憶しており、
前記携帯機は、前記トランスポンダ起動用電波から電力を得ることにより、前記トランスポンダコードを含むトランスポンダコード信号を送信する第３送信手段を備え、
前記制御手段は、受信した前記トランスポンダコード信号に含まれる前記トランスポンダコードと、自身のトランスポンダコードとが一致した場合に前記ドア錠の解錠を許可することを特徴とする請求項１乃至請求項３のうちいずれか１項に記載の電子キーシステム。
【発明の詳細な説明】
【技術分野】
【０００１】
本発明は、例えば車両や住宅のドアなどを施解錠する電子キーシステムに関するものである。
【背景技術】
【０００２】
従来、車両や住宅のドアに設けられた施解錠装置と、ユーザが携帯する携帯機との間で双方向通信を行わせ、その双方向通信が確立した場合にドア錠の施解錠を行う電子キーシステムが知られている。しかしながら、このような電子キーシステムでは、携帯機を紛失したり、携帯機が盗難されたりした場合には、その携帯機を手に入れた第三者によりドア錠を解錠されてしまうことがある。そのため、特許文献１の電子キーシステムでは、携帯機にカウンタを内蔵させ、その携帯機に内蔵されたカウンタの計数値が閾値以上であれば、ドア錠が解錠しないように構成している。即ち、この電子キーシステムは、使用可能時間を超えた場合にドア錠が解錠しないように構成している。
【特許文献１】特開２００３−２２７２５６号公報
【発明の開示】
【発明が解決しようとする課題】
【０００３】
ところが、特許文献１の電子キーシステムでは、携帯機にカウンタを内蔵しなければならず、携帯機が大型化してしまうという問題があった。携帯機は、ユーザが携帯するものであるため、携帯機の大型化は敬遠されている。
【０００４】
本発明は、前述した事情に鑑みてなされたものであって、その目的は携帯機を大型化することなく、携帯機を盗難されたり紛失したりした場合であっても、第三者による該携帯機を用いたドア錠の解錠を抑制することができる電子キーシステムを提供することにある。
【課題を解決するための手段】
【０００５】
上記目的を達成するために、請求項１に記載の発明は、該携帯機毎に個別に設定されたＩＤコードを記憶した携帯機と、対応する携帯機のＩＤコードと同一のＩＤコードを記憶した作動制御装置とを備え、前記作動制御装置は、前記携帯機との双方向通信を確立させるためにリクエスト信号を送信する第１送信手段を有し、前記携帯機は、前記作動制御装置からの前記リクエスト信号に応答して前記ＩＤコードを含むＩＤコード信号を送信する第２送信手段を有し、前記作動制御装置は、前記携帯機との双方向通信により両ＩＤコードが一致した場合にドア錠の解錠を許可する制御手段を有している電子キーシステムにおいて、前記作動制御装置は、前記携帯機との双方向通信の確立からの経過時間を計数する計数手段を備え、前記制御手段は、前記計数手段が計数している計数値が閾値を跨いでいない場合に前記携帯機との双方向通信による両ＩＤコードが一致すると前記計数値をリセットし、かつ前記ドア錠の解錠を許可し、前記計数値が前記閾値を跨いだ場合に前記携帯機との双方向通信による両ＩＤコードが一致しても前記ドア錠の解錠を許可しない。
【０００６】
請求項２に記載の発明は、請求項１に記載の発明において、前記リクエスト信号には、第１リクエスト信号と第２リクエスト信号とがあり、前記第１送信手段は、ドアを基準に屋内へ向けて前記第１リクエスト信号を送信し、前記ドアを基準に屋外へ向けて前記第２リクエスト信号を送信し、前記制御手段は、前記第１リクエスト信号の送信に基づく双方向通信により両ＩＤコードが一致した場合には前記計数値が前記閾値を跨いだか否かに拘わらず前記計数値をリセットし、かつ前記ドア錠の解錠を許可し、前記計数値が前記閾値を跨いでいない場合でかつ前記第２リクエスト信号の送信に基づく双方向通信により両ＩＤコードが一致した場合に前記計数値をリセットし、かつ前記ドア錠の解錠を許可し、前記計数値が前記閾値を跨いだ場合に前記第２リクエスト信号の送信に基づく双方向通信により両ＩＤコードが一致しても前記ドア錠の解錠を許可しない。
【０００７】
請求項３に記載の発明は、請求項１又は請求項２に記載の発明において、前記作動制御装置は、前記閾値を人によって設定可能な設定手段を備えている。
請求項４に記載の発明は、請求項１乃至請求項３のうちいずれか１項に記載の発明において、前記作動制御装置は、前記屋外に居る人によって復帰処理される復帰手段を備え、前記作動制御装置は、前記復帰手段の復帰処理が完了しかつ前記携帯機との双方向通信により両ＩＤコードが一致した場合に、前記計数値が前記閾値を跨いだか否かに拘わらず前記ドア錠の解錠を許可する。
【０００８】
請求項５に記載の発明は、請求項１乃至請求項３のうちいずれか１項に記載の発明において、前記作動制御装置は、前記屋外に居る人によって復帰処理される復帰手段と、前記復帰手段の復帰処理が完了したことに基づいてトランスポンダ起動用電波を前記ドアを基準に前記屋外へ出力する電磁波発生手段とを備え、前記携帯機は、該携帯機毎に個別に設定されたトランスポンダコードを記憶しており、前記作動制御装置は、対応する携帯機のトランスポンダコードと同一のトランスポンダコードを記憶しており、前記携帯機は、前記トランスポンダ起動用電波から電力を得ることにより、前記トランスポンダコードを含むトランスポンダコード信号を送信する第３送信手段を備え、前記制御手段は、受信した前記トランスポンダコード信号に含まれる前記トランスポンダコードと、自身のトランスポンダコードとが一致した場合に前記ドア錠の解錠を許可する。
【０００９】
請求項６に記載の発明は、請求項１乃至請求項３のうちいずれか１項に記載の発明において、前記携帯機は、複数の携帯機側操作スイッチを備え、前記携帯機は、前記複数の携帯機側操作スイッチが特定の方法で操作された場合に、電磁波出力要求信号を出力し、前記作動制御装置は、前記電磁波出力要求信号を受信する受信手段と、前記受信手段により前記電磁波出力要求信号が受信されたことに基づいてトランスポンダ起動用電波を前記ドアを基準に前記屋外へ出力する電磁波発生手段とを備え、前記携帯機は、該携帯機毎に個別に設定されたトランスポンダコードを記憶しており、前記作動制御装置は、対応する携帯機のトランスポンダコードと同一のトランスポンダコードを記憶しており、前記携帯機は、前記トランスポンダ起動用電波から電力を得ることにより、前記トランスポンダコードを含むトランスポンダコード信号を送信する第３送信手段を備え、前記制御手段は、受信した前記トランスポンダコード信号に含まれる前記トランスポンダコードと、自身のトランスポンダコードとが一致した場合に前記ドア錠の解錠を許可する。
【００１０】
（作用）
請求項１に記載の発明によれば以下に示す作用を得る。作動制御装置は、携帯機との双方向通信の確立からの経過時間を計数するようになっている。即ち、作動制御装置は、携帯機の使用可能時間をカウントするようになっている。作動制御装置は、計数値が閾値を跨いでいない場合に携帯機との双方向通信による両ＩＤコードが一致すると計数値をリセットし、かつドア錠の解錠を許可する。また、作動制御装置は、計数値が閾値を跨いだ場合に携帯機との双方向通信による両ＩＤコードが一致してもドア錠の解錠を許可しない。よって、たとえ携帯機が第三者の手に渡っても、計数値が閾値を跨いだ（使用可能時間を過ぎている）場合には、その携帯機を用いてドア錠が解錠されてしまうことがない。上記のような電子キーシステムでは、携帯機に計数手段を設ける必要がなく、その分、携帯機の大型化を抑制することが可能となる。
【００１１】
なお、経過時間の計数が加算方式及び乗算方式の場合、「計数値が閾値を跨いでいない」という意味は「計数値が閾値未満」という意味に相当し、「計数値が閾値を跨いだ」という意味は「計数値が閾値以上」という意味に相当する。また、経過時間の計数が減算方式及び除算方式の場合、「計数値が閾値を跨いでいない」という意味は「計数値が閾値を超えている」という意味に相当し、「計数値が閾値を跨いだ」という意味は「計数値が閾値以下」という意味に相当する。
【００１２】
請求項２に記載の発明によれば、請求項１に記載の発明の作用に加えて以下に示す作用を得る。携帯機を携帯した人が屋内からドアに近づくと、計数値が閾値を跨いだか否かに拘わらず、作動制御装置はドア錠の解錠を許可する。この結果、ドア錠が解錠されるため、その人は、解錠操作をすることなく、ドアを開けて屋外へ出ることが可能となる。
【００１３】
一方、計数値が閾値を跨いでいない場合において、携帯機を携帯した人が屋外からドアに近づくと、作動制御装置はドア錠の解錠を許可する。この結果、ドア錠が解錠されるため、その人は、解錠操作をすることなく、ドアを開けて屋内へ入ることが可能となる。
【００１４】
また、計数値が閾値を跨いだ場合、即ち、使用可能時間を過ぎてしまった場合において、携帯機を携帯した人が屋外からドアに近づいても、作動制御装置はドア錠の解錠を許可しない。この結果、その人は、ドアを解錠することができず屋内へ入ることができない。よって、たとえ携帯機が第三者の手に渡っても、計数値が閾値を跨いだ場合には、その携帯機を用いてドア錠が解錠されてしまうことがない。
【００１５】
請求項３に記載の発明によれば、請求項１又は請求項２に記載の発明の作用に加えて以下に示す作用を得る。人は、設定手段を用いて閾値を設定することが可能となる。即ち、人は、携帯機の使用可能時間の長さを自由に設定することが可能となる。
【００１６】
請求項４に記載の発明によれば、請求項１乃至請求項３のうちいずれか１項に記載の発明の作用に加えて以下に示す作用を得る。計数値が閾値を跨いだ場合、即ち、使用可能時間を過ぎてしまった場合であっても、作動制御装置は、復帰手段の復帰処理が完了し、かつ携帯機との双方向通信による両ＩＤコードが一致するとドア錠の解錠を許可する。よって、計数値が閾値を跨いだ場合、即ち、使用可能時間を過ぎてしまった場合であっても、復帰処理の仕方を知っている人であれば、ドアを開けて屋内へ入ることが可能となる。
【００１７】
請求項５に記載の発明によれば、請求項１乃至請求項３のうちいずれか１項に記載の発明の作用に加えて以下に示す作用を得る。屋外に居る人によって復帰手段の復帰処理が完了されると、作動制御装置は、トランスポンダ起動用電波をドアを基準に屋外へ出力する。その人がトランスポンダ起動用電波の発生場所へ携帯機を近づけると、携帯機はトランスポンダコード信号を送信する。作動制御装置は、受信したトランスポンダコード信号に含まれるトランスポンダコードと、自身のトランスポンダコードとが一致した場合にドア錠の解錠を許可する。よって、計数値が閾値を跨いだ場合、即ち、使用可能時間を過ぎてしまった場合であっても、復帰処理のやり方を知っている人であれば、ドアを開けて屋内へ入ることが可能となる。
【００１８】
請求項６に記載の発明によれば、請求項１乃至請求項３のうちいずれか１項に記載の発明の作用に加えて以下に示す作用を得る。携帯機は、人によって複数の携帯機側操作スイッチが特定の方法で操作された場合に、電磁波出力要求信号を出力する。作動制御装置は、電磁波出力要求信号を受信すると、トランスポンダ起動用電波をドアを基準に屋外へ出力する。携帯機は、トランスポンダ起動用電波から電力を得ることにより、トランスポンダコード信号を送信する。作動制御装置は、受信したトランスポンダコード信号に含まれるトランスポンダコードと、自身のトランスポンダコードとが一致した場合にドア錠の解錠を許可する。よって、計数値が閾値を跨いだ場合、即ち、使用可能時間を過ぎてしまった場合であっても、複数の携帯機側操作スイッチの特定の操作方法を知っている人であれば、ドアを開けて屋内へ入ることが可能となる。
【発明の効果】
【００１９】
本発明によれば、携帯機を大型化することなく、携帯機を盗難されたり紛失したりした場合であっても、第三者による該携帯機を用いたドア錠の解錠を抑制することができる。
【発明を実施するための最良の形態】
【００２０】
（第１実施形態）
以下、本発明を具体化した第１実施形態を図１及び図２に従って説明する。
図１及び図２に示すように、電子キーシステム１１は、携帯機１２と作動制御装置１３とを備えている。作動制御装置１３は、装置本体１４、屋内送信アンテナ１５、屋外送信アンテナ１６、屋内受信アンテナ１７、屋外受信アンテナ１８、復帰手段としての操作スイッチ１９を備えている。
【００２１】
携帯機１２は、運転者によって所持されるものである。装置本体１４は住宅２１のドア２２の屋内側に配設され、屋内送信アンテナ１５及び屋内受信アンテナ１７はドア２２の屋内側に配設され、屋外送信アンテナ１６及び屋外受信アンテナ１８はドア２２の屋外側に配設され、操作スイッチ１９は住宅２１の外壁２３（又はドア２２の屋外側でもよい）に配設されている。
【００２２】
ここで、携帯機１２と作動制御装置１３との通信による通常施解錠制御の概要を説明する。
装置本体１４は、ドア２２を基準に屋内へ向けてリクエスト信号を屋内送信アンテナ１５を介して送信可能に、かつドア２２を基準に屋外へ向けてリクエスト信号を屋外送信アンテナ１６を介して送信可能に構成されている。
【００２３】
なお、以下の説明では、ドア２２を基準に屋内へ向けて送信されるリクエスト信号を第１リクエスト信号、ドア２２を基準に屋外へ向けて送信されるリクエスト信号を第２リクエスト信号という。
【００２４】
装置本体１４は、第１リクエスト信号と第２リクエスト信号とを交互に送信するように構成されている。携帯機１２は、図２に示すエリアＡ１内において、装置本体１４からの第１リクエスト信号を受信する。携帯機１２は、第１リクエスト信号を受信するとＩＤコードを含むＩＤコード信号を送信する。装置本体１４は、エリアＡ１に位置する携帯機１２からＩＤコード信号が送信されたのであれば、そのＩＤコード信号を屋内受信アンテナ１７を介して受信可能とされている。装置本体１４は、屋内受信アンテナ１７から受信したＩＤコード信号が対応する携帯機１２からのものであれば、ドア施解錠装置２４へ解錠制御信号を出力する。ドア施解錠装置２４は、解錠制御信号を入力すると、ドア２２のドア錠を解錠する。
【００２５】
一方、携帯機１２は、図２に示すエリアＡ２内において、装置本体１４からの第２リクエスト信号を受信する。携帯機１２は、第２リクエスト信号を受信するとＩＤコードを含むＩＤコード信号を送信する。装置本体１４は、エリアＡ２に位置する携帯機１２からＩＤコード信号が送信されたのであれば、そのＩＤコード信号を屋外受信アンテナ１８を介して受信可能とされている。装置本体１４は、加算方式で経過時間を計数する計数手段としてのカウンタ２５を備えている。装置本体１４は、カウンタ２５の計数値Ｃが閾値Ｔ未満（Ｃ＜Ｔ）の場合でかつ屋外受信アンテナ１８から受信したＩＤコード信号が対応する携帯機１２からのものであれば、ドア施解錠装置２４へ解錠制御信号を出力する。ドア施解錠装置２４は、解錠制御信号を入力すると、ドア２２のドア錠を解錠する。
【００２６】
装置本体１４は、ＩＤコード信号を受信しなくなると、ドア施解錠装置２４へ施錠制御信号を出力する。ドア施解錠装置２４は、施錠制御信号を入力すると、ドア２２のドア錠を施錠する（以下、この制御をドア施錠制御という）。
【００２７】
ところで、携帯機１２には、携帯機側操作スイッチとしての施錠スイッチ２６及び携帯機側操作スイッチとしての解錠スイッチ２７を備えている。ユーザによって施錠スイッチ２６が操作されると、携帯機１２は、ＩＤコードを含む施錠情報信号を送信する。装置本体１４は、エリアＡ３に位置する携帯機１２から施錠情報信号が送信されたのであれば、その施錠情報信号を屋内受信アンテナ１７を介して受信可能とされている。装置本体１４は、屋内受信アンテナ１７を介して施錠情報信号を受信した場合に、その施錠情報信号が対応する携帯機１２からのものであれば、ドア施解錠装置２４へ施錠制御信号を出力する。ドア施解錠装置２４は、施錠制御信号を入力すると、ドア２２のドア錠を施錠する。
【００２８】
装置本体１４は、エリアＡ４に位置する携帯機１２から施錠情報信号が送信されたのであれば、その施錠情報信号を屋外受信アンテナ１８を介して受信可能とされている。装置本体１４は、屋外受信アンテナ１８を介して施錠情報信号を受信した場合に、その施錠情報信号が対応する携帯機１２からのものであり、かつカウンタ２５の計数値Ｃが閾値Ｔ未満（Ｃ＜Ｔ）であれば、ドア施解錠装置２４へ施錠制御信号を出力する。ドア施解錠装置２４は、施錠制御信号を入力すると、ドア２２のドア錠を施錠する。
【００２９】
ちなみに、エリアＡ３は、エリアＡ１を含み、かつ屋内においてドア２２を基準にエリアＡ１よりも離れた位置まで及ぶ範囲である。エリアＡ４は、エリアＡ２を含み、かつ屋外においてドア２２を基準にエリアＡ２よりも離れた位置まで及ぶ範囲である。
【００３０】
一方、ユーザによって解錠スイッチ２７が操作されると、携帯機１２は、ＩＤコードを含む解錠情報信号を送信する。装置本体１４は、エリアＡ３に位置する携帯機１２から解錠情報信号が送信されたのであれば、その解錠情報信号を屋内受信アンテナ１７を介して受信可能とされている。装置本体１４は、屋内受信アンテナ１７を介して解錠情報信号を受信した場合に、その解錠情報信号が対応する携帯機１２からのものであれば、ドア施解錠装置２４へ解錠制御信号を出力する。ドア施解錠装置２４は、解錠制御信号を入力すると、ドア２２のドア錠を解錠する。
【００３１】
装置本体１４は、エリアＡ４に位置する携帯機１２から解錠情報信号が送信されたのであれば、その解錠情報信号を屋外受信アンテナ１８を介して受信可能とされている。装置本体１４は、屋外受信アンテナ１８を介して解錠情報信号を受信した場合に、その解錠情報信号が対応する携帯機１２からのものであり、かつカウンタ２５の計数値Ｃが閾値Ｔ未満（Ｃ＜Ｔ）であれば、上記ドア施錠制御をキャンセルしてでもドア施解錠装置２４へ施錠制御信号を出力する。ドア施解錠装置２４は、施錠制御信号を入力すると、ドア２２のドア錠を施錠する。
【００３２】
装置本体１４は、ドア２２のドア錠を施解錠する度に、計数値Ｃを「０」にリセットする。本実施形態では、閾値Ｔが３日分の時間に相当する値に設定されている。そのため、この電子キーシステム１１は、携帯機１２を携帯したユーザが、屋内から屋外へ移動した（出かけた）際に、計数値Ｃが「０」にリセットされ、ユーザが出かけてから３日未満であれば、携帯機１２から送信されるＩＤコード信号を用いてドア２２のドア錠を解錠することができる。
【００３３】
次に、携帯機１２と作動制御装置１３との双方向通信による非常解錠制御の概要を説明する。
ユーザが、外壁２３に配設された操作スイッチ１９を操作すると、装置本体１４は、ドア２２を基準に屋外へ向けてトランスポンダ起動用電波を送信する。携帯機１２は、図２に示すエリアＡ５内において、装置本体１４からのトランスポンダ起動用電波を受信する。携帯機１２は、トランスポンダ起動用電波を受信すると、そのトランスポンダ起動用電波に基づいて起電力を発生し、トランスポンダコード信号を送信する。装置本体１４は、エリアＡ５に位置する携帯機１２からトランスポンダコード信号が送信されたのであれば、そのトランスポンダコード信号を受信可能とされている。装置本体１４は、受信したトランスポンダコード信号が対応する携帯機１２からのものであれば、ドア施解錠装置２４へ解錠制御信号を出力する。ドア施解錠装置２４は、解錠制御信号を入力すると、ドア２２のドア錠を解錠する。
【００３４】
ちなみに、操作スイッチ１９の操作方法は、第三者には分かりにくいものとなっており、正規のユーザのみが知り得るような操作方法である。
次に、通常施解錠制御を行うのに必要な携帯機１２及び作動制御装置１３の構成について詳述する。
【００３５】
携帯機１２は、送受信回路３１、電池３２、前記施錠スイッチ２６、前記解錠スイッチ２７を備えている。送受信回路３１は、電池３２から供給される電力により駆動する。
送受信回路３１は、受信アンテナ３４、受信回路３５、マイコン３６、第２送信手段としての送信回路３７、送信アンテナ３８を備えている。受信回路３５は、作動制御装置１３から送信された第１リクエスト信号または第２リクエスト信号を受信アンテナ３４を介して受信すると、その信号を復調してマイコン３６へ出力する。
【００３６】
マイコン３６は、図示しないＣＰＵ、ＲＯＭ、ＲＡＭ等からなるＣＰＵユニットであり、メモリ３６ａを備えている。このメモリ３６ａには、携帯機１２毎に個別に設定されたＩＤコードが記憶されている。そして、マイコン３６は、受信回路３５から復調された第１リクエスト信号（または第２リクエスト信号）が入力されると、携帯機１２のＩＤコードを含むＩＤコード信号を送信回路３７へ出力する。
【００３７】
送信回路３７は、マイコン３６から入力されたＩＤコード信号を所定周波数の電波に変調して送信アンテナ３８を介して送信する。
施錠スイッチ２６は、ユーザによって操作された場合に、施錠操作信号をマイコン３６へ出力する。マイコン３６は、施錠操作信号が入力されると、携帯機１２のＩＤコードを含む施錠情報信号を送信回路３７に出力し、送信回路３７はその信号を所定周波数の電波に変調して送信アンテナ３８を介して送信する。
【００３８】
解錠スイッチ２７は、ユーザによって操作された場合に、解錠操作信号をマイコン３６へ出力する。マイコン３６は、解錠操作信号が入力されると、携帯機１２のＩＤコードを含む解錠情報信号を送信回路３７に出力し、送信回路３７はその信号を所定周波数の電波に変調して送信アンテナ３８を介して送信する。
【００３９】
一方、作動制御装置１３の装置本体１４は、制御手段としてのマイコン４１、第１送信手段としての送信回路４２、受信手段及び着信手段としての受信回路４３を備えている。
マイコン４１は、図示しないＣＰＵ、ＲＯＭ、ＲＡＭ等からなるＣＰＵユニットであり、メモリ４１ａ及び前記カウンタ２５を備えている。このメモリ４１ａには、対応する携帯機１２のＩＤコードと同一のＩＤコードが記憶されている。
【００４０】
送信回路４２は、マイコン４１から入力されるリクエスト信号を所定周波数に変調して屋内送信アンテナ１５及び屋外送信アンテナ１６のうち何れか一方を介して送信する。詳述すると、リクエスト信号は、屋内送信アンテナ１５と屋外送信アンテナ１６とから交互に送信される。本実施形態では、リクエスト信号は、屋内送信アンテナ１５から送信された場合を第１リクエスト信号と呼んでおり、屋外送信アンテナ１６から送信された場合を第２リクエスト信号と呼んでいる。
【００４１】
受信回路４３は、ＩＤコード信号、施錠情報信号、解錠情報信号のうち何れか一つの信号を屋内受信アンテナ１７または屋外受信アンテナ１８を介して受信し、その受信した信号を復調してマイコン４１へ出力する。
【００４２】
マイコン４１は、屋外受信アンテナ１８を介して受信したＩＤコード信号を入力すると、その信号に含まれるＩＤコードとメモリ４１ａに記憶されているＩＤコードとの照合を行う。マイコン４１は、その照合が成立（両ＩＤコードが一致）し、かつカウンタ２５の計数値Ｃが閾値Ｔ未満（Ｃ＜Ｔ）の場合に、計数値Ｃをリセットし、かつドア施解錠装置２４へ解錠制御信号を出力する。ドア施解錠装置２４は、作動制御装置１３外に設けられた装置である。ドア施解錠装置２４は、解錠制御信号を入力するとドア２２のドア錠を解錠する。
【００４３】
ここで、カウンタ２５、計数値Ｃ、閾値Ｔについて説明する。カウンタ２５は、リセットによって、計数値Ｃを「０」に戻す。カウンタ２５は、加算方式で経過時間を計数し、その計数した値が計数値Ｃである。マイコン４１のメモリ４１ａには、閾値Ｔ（０＜Ｔ）が記憶されている。この閾値Ｔは、例えば、３日分の時間に相当する値とされている。
【００４４】
なお、本実施形態において、「計数値が閾値未満」という意味は、「計数値が閾値を跨いでいない」という意味に相当し、「計数値が閾値以上」という意味は、「計数値が閾値を跨いだ」という意味に相当する。
【００４５】
マイコン４１は、屋外受信アンテナ１８を介して受信した施錠情報信号を入力すると、その信号に含まれるＩＤコードとメモリ４１ａに記憶されているＩＤコードとの照合を行う。マイコン４１は、その照合が成立し、かつカウンタ２５の計数値Ｃが閾値Ｔ未満（Ｃ＜Ｔ）の場合に、計数値Ｃをリセットし、かつドア施解錠装置２４へ施錠制御信号を出力する。ドア施解錠装置２４は、施錠制御信号を入力するとドア２２のドア錠を施錠する。
【００４６】
マイコン４１は、屋外受信アンテナ１８を介して受信した解錠情報信号を入力すると、その信号に含まれるＩＤコードとメモリ４１ａに記憶されているＩＤコードとの照合を行う。マイコン４１は、その照合が成立し、かつカウンタ２５の計数値Ｃが閾値Ｔ未満（Ｃ＜Ｔ）の場合に、計数値Ｃをリセットし、かつドア施解錠装置２４へ解錠制御信号を出力する。ドア施解錠装置２４は、解錠制御信号を入力するとドア２２のドア錠を解錠する。
【００４７】
マイコン４１は、屋内受信アンテナ１７を介して受信したＩＤコード信号を入力すると、その信号に含まれるＩＤコードとメモリ４１ａに記憶されているＩＤコードとの照合を行う。マイコン４１は、その照合が成立すると、計数値Ｃをリセットし、かつドア施解錠装置２４へ解錠制御信号を出力する。ドア施解錠装置２４は、解錠制御信号を入力するとドア２２のドア錠を解錠する。
【００４８】
マイコン４１は、屋内受信アンテナ１７を介して受信した施錠情報信号を入力すると、その信号に含まれるＩＤコードとメモリ４１ａに記憶されているＩＤコードとの照合を行う。マイコン４１は、その照合が成立すると、計数値Ｃをリセットし、かつドア施解錠装置２４へ施錠制御信号を出力する。ドア施解錠装置２４は、施錠制御信号を入力するとドア２２のドア錠を施錠する。
【００４９】
マイコン４１は、屋内受信アンテナ１７を介して受信した解錠情報信号を入力すると、その信号に含まれるＩＤコードとメモリ４１ａに記憶されているＩＤコードとの照合を行う。マイコン４１は、その照合が成立すると、計数値Ｃをリセットし、かつドア施解錠装置２４へ解錠制御信号を出力する。ドア施解錠装置２４は、解錠制御信号を入力するとドア２２のドア錠を解錠する。
【００５０】
上記マイコン４１のメモリ４１ａには、複数個の携帯機１２の閾値Ｔを記憶可能とされている。そのため、家人が複数居り、その各家人毎に携帯機１２をそれぞれ携帯することにより、この電子キーシステム１１を各家人がそれぞれ利用することができる。メモリ４１ａに記憶されている閾値Ｔは、装置本体１４に備えられた設定手段としての登録装置４４により設定可能とされている。登録装置４４は、ドア２２の屋内側に配設され、屋内にいるユーザによって操作可能に構成されている。登録装置４４は、複数の携帯機１２の閾値Ｔをそれぞれ異なる値に設定可能とされている。
【００５１】
次に、非常解錠制御を行うのに必要な携帯機１２及び作動制御装置１３の構成について詳述する。
携帯機１２は、第３送信手段としてのトランスポンダ４５を備えている。トランスポンダ４５には、該トランスポンダ４５毎、つまり携帯機１２毎に個別に設定されたトランスポンダコードが記憶されている。
【００５２】
一方、作動制御装置１３の装置本体１４は、電磁波発生手段としての送受信回路４６、送受信アンテナ４７を備えている。マイコン４１のメモリ４１ａには、対応する携帯機１２内のトランスポンダ４５のトランスポンダコードと同一のトランスポンダコードが記憶されている。また、作動制御装置１３は、前記操作スイッチ１９を備えている。操作スイッチ１９は、屋外に居るユーザにより操作可能とされている。操作スイッチ１９は、ユーザによって操作されると、操作信号をマイコン４１へ出力する。なお、操作スイッチ１９が操作されることが、復帰処理が完了することに相当する。マイコン４１は、操作信号を入力すると、送受信回路４６へトランスポンダ起動用信号を出力する。送受信回路４６は、トランスポンダ起動用信号を入力すると、トランスポンダ起動用電波を生成し、そのトランスポンダ起動用電波を送受信アンテナ４７を介して送信する。
【００５３】
携帯機１２のトランスポンダ４５は、トランスポンダ起動用電波を受信すると、そのトランスポンダ起動用電波に基づいて起電力を発生し、前記トランスポンダコードを含むトランスポンダコード信号を所定周波数の電波に変調して送信する。なお、このトランスポンダコード信号の周波数は、第１リクエスト信号、第２リクエスト信号、施錠情報信号、解錠情報信号と混線しない周波数とされている。
【００５４】
作動制御装置１３の送受信回路４６は、トランスポンダコード信号を送受信アンテナ４７を介して受信すると、その信号を復調してマイコン４１へ出力する。マイコン４１は、復調したトランスポンダコード信号が入力されると、その信号に含まれるトランスポンダコードとメモリ４１ａに記憶されているトランスポンダコードとの照合を行う。マイコン４１は、その照合が成立（両トランスポンダコードが一致）した場合にドア施解錠装置２４へ解錠制御信号を出力する。ドア施解錠装置２４は、解錠制御信号を入力するとドア２２のドア錠を解錠する。
【００５５】
従って、第１実施形態によれば、以下の作用・効果を得ることができる。
（１）作動制御装置１３は、携帯機１２との双方向通信の確立からの経過時間を計数するようになっている。即ち、作動制御装置１３は、携帯機１２の使用可能時間をカウントするようになっている。作動制御装置１３は、計数値Ｃが閾値Ｔ未満（Ｃ＜Ｔ）の場合に携帯機１２との双方向通信による両ＩＤコードが一致すると計数値Ｃをリセットし、かつドア錠の解錠を許可する。また、作動制御装置１３は、計数値Ｃが閾値Ｔ以上（Ｃ≧Ｔ）の場合に携帯機１２との双方向通信による両ＩＤコードが一致してもドア錠の解錠を許可しない。よって、たとえ携帯機１２が第三者の手に渡っても、計数値Ｃが閾値Ｔ以上（Ｃ≧Ｔ）の場合には、その携帯機１２を用いてドア錠が解錠されてしまうことが抑制される。このような電子キーシステム１１では、携帯機１２にカウンタ２５を設ける必要がなく、その分、携帯機１２の大型化を抑制することが可能となる。
【００５６】
よって、電子キーシステム１１は、携帯機１２を大型化することなく、携帯機１２を盗難されたり紛失したりした場合であっても、第三者による該携帯機１２を用いたドア錠の解錠を抑制することができる。
【００５７】
（２）携帯機１２を携帯した人が屋内からドア２２に近づくと、計数値Ｃが閾値Ｔ以上か否かに拘わらず、作動制御装置１３はドア錠の解錠を許可する。この結果、ドア錠が解錠されるため、その人は、解錠操作をすることなく、ドア２２を開けて屋外へ出ることが可能となる。
【００５８】
一方、計数値Ｃが閾値Ｔ未満（Ｃ＜Ｔ）において、携帯機１２を携帯した人が屋外からドア２２に近づくと、作動制御装置１３はドア錠の解錠を許可する。この結果、ドア錠が解錠されるため、その人は、解錠操作をすることなく、ドア２２を開けて屋内へ入ることが可能となる。
【００５９】
また、計数値Ｃが閾値Ｔ以上（Ｃ≧Ｔ）の場合、即ち、使用可能時間を過ぎてしまった場合において、携帯機１２を携帯した人が屋外からドア２２に近づいても、作動制御装置１３はドア錠の解錠を許可しない。この結果、その人は、ドア２２を解錠することができず屋内へ入ることができない。よって、たとえ携帯機１２が第三者の手に渡っても、計数値Ｃが閾値Ｔ以上（Ｃ≧Ｔ）の場合には、その携帯機１２を用いてドア錠が解錠されてしまうことを抑制できる。
【００６０】
（３）作動制御装置１３は、閾値Ｔを人によって設定可能な登録装置４４を備えた。屋内に居る人は、登録装置４４を用いて閾値Ｔを設定することが可能となる。即ち、屋内に居る人は、携帯機１２の使用可能時間の長さを自由に設定することができる。
【００６１】
（４）屋外に居る人によって操作スイッチ１９が操作されると、作動制御装置１３は、トランスポンダ起動用電波をドア２２を基準に屋外へ出力する。その人がトランスポンダ起動用電波の発生場所へ携帯機１２を近づけると、携帯機１２はトランスポンダコード信号を送信する。作動制御装置１３は、受信したトランスポンダコード信号に含まれるトランスポンダコードと、自身のトランスポンダコードとが一致した場合にドア錠の解錠を許可する。よって、計数値Ｃが閾値Ｔ以上（Ｃ≧Ｔ）の場合、即ち、使用可能時間を過ぎてしまった場合であっても、操作スイッチ１９の操作方法を知っている人であれば、ドア２２を開けて屋内へ入ることができる。
【００６２】
また、電子キーシステム１１は、電池３２の電圧低下により送受信回路３１が駆動しなくなった場合でも、非常用のドア解錠方法としても利用することができる。
（５）特許文献１の電子キーシステムでは、携帯機に内蔵されたカウンタの計数値が閾値以上となると、ドア錠を解錠させることが全くできないように構成されていた。そのため、特許文献１の電子キーシステムでは、カウンタの計数値が閾値以上となった携帯機を持ったユーザは、屋内にいる人に内側からドアのドア錠を解錠してもらったり、同居者の帰宅を待ったりしない限り、屋内に入ることができなかった。本実施形態の電子キーシステム１１は、このような特許文献１の電子キーシステムの使い勝手の悪さを解消している。
【００６３】
（第２実施形態）
以下、本発明を具体化した第２実施形態を図３に従って説明する。なお、説明の便宜上、第１実施形態と同様の構成については同一の符号を付してその説明を一部省略する。図３に示すように、本実施形態の電子キーシステム５１は、電子キーシステム１１に対して操作スイッチ１９を省略し、かつマイコン３６，４１に機能を追加したことが主な変更点である。電子キーシステム５１の通常施解錠制御は、電子キーシステム１１の通常施解錠制御と同様の制御を行う。
【００６４】
次に、電子キーシステム５１の非常解錠制御について説明する。
本実施形態の携帯機１２は、施錠スイッチ２６及び解錠スイッチ２７が特定の方法で操作された場合に、電磁波出力要求信号を出力する。
【００６５】
特定の方法とは、例えば
（１）施錠スイッチ２６を３回操作した後、解錠スイッチ２７を１回操作する。
（２）施錠スイッチ２６と解錠スイッチ２７とを交互に２０回操作する。
（３）施錠スイッチ２６を二秒おきに３回操作する。
【００６６】
等がある。
本実施形態では、上記（１）を特定の方法としているが、上記（２）及び（３）のうち何れか一方を特定の方法としてもよい。
【００６７】
一方、装置本体１４の受信回路４３は、電磁波出力要求信号を屋外受信アンテナ１８を介して受信すると、その受信した信号を復調してマイコン４１へ出力する。マイコン４１は、復調された電磁波出力要求信号を入力すると、送受信回路４６へトランスポンダ起動用信号を出力する。送受信回路４６は、トランスポンダ起動用信号を入力すると、トランスポンダ起動用電波を送受信アンテナ４７を介して送信する。この後の処理は、電子キーシステム１１における非常解錠制御の処理と同じため、その説明を省略する。この結果、ドア２２のドア錠が解錠される。
【００６８】
従って、第２実施形態によれば、前記第１実施形態における（１）〜（３）、（５）の作用・効果に加えて、以下の作用・効果を得ることができる。
（１）携帯機１２は、人によって施錠スイッチ２６及び解錠スイッチ２７が特定の方法で操作された場合に、電磁波出力要求信号を出力する。作動制御装置１３は、電磁波出力要求信号を受信すると、トランスポンダ起動用電波をドア２２を基準に屋外へ出力する。携帯機１２は、トランスポンダ起動用電波から電力を得ることにより、トランスポンダコード信号を送信する。作動制御装置１３は、受信したトランスポンダコード信号に含まれるトランスポンダコードと、自身のトランスポンダコードとが一致した場合にドア錠の解錠を許可する。よって、計数値Ｃが閾値Ｔ以上（Ｃ≧Ｔ）の場合、即ち、使用可能時間を過ぎてしまった場合であっても、特定の操作方法を知っている人であれば、ドア２２を開けて屋内へ入ることができる。
【００６９】
なお、前記各実施形態は、以下の態様に変更してもよい。
・前記第１実施形態において、操作スイッチ１９の替わりに復帰手段としての指紋認証装置５２を採用してもよい（図４参照）。指紋認証装置５２は住宅２１の外壁２３又はドア２２の屋外側に配設する。指紋認証装置５２は、屋外に居る人の指が当てられることにより指紋認証を行う。指紋認証装置５２は、指が当てられた場合に指紋認証を行い、その指紋認証が成立した場合（復帰処理が完了）に操作信号をマイコン４１へ出力する。このように構成すると、より一層セキュリティ性を高めることができる。以下、この態様の変更を第３実施形態という。
【００７０】
・前記第１実施形態において、操作スイッチ１９の替わりに復帰手段としての声紋認証装置５３を採用してもよい（図５参照）。声紋認証装置５３は住宅２１の外壁２３又はドア２２の屋外側に配設する。声紋認証装置５３は、屋外に居る人の声紋の認証を行う声紋認証装置５３は、声紋認証を行い、声紋認証が成立した場合（復帰処理が完了）に操作信号をマイコン４１へ出力する。このように構成すると、より一層セキュリティ性を高めることができる。以下、この態様の変更を第４実施形態という。
【００７１】
・前記第１実施形態では、装置本体１４は、操作スイッチ１９からの操作信号の入力に基づいて、携帯機１２からトランスポンダコードを貰うための通信を該携帯機１２と行い、携帯機１２から貰ったトランスポンダコードと自身のトランスポンダコードとが一致した場合にドア施解錠装置２４へ解錠制御信号を出力していた。これに限らず、装置本体１４は、操作スイッチ１９からの操作信号の入力に基づいて、携帯機１２からＩＤコードを貰うための通信を該携帯機１２と行い、携帯機１２から貰ったＩＤコードと自身のＩＤコードとが一致した場合にドア施解錠装置２４へ解錠制御信号を出力するように構成してもよい。以下、この態様の変更を第５実施形態という。また、このような態様の変更を、第３及び第４実施形態において具体化してもよい。以下、第３実施形態に対して第５実施形態と同様の変更を行ったものを、第６実施形態という。以下、第４実施形態に対して第５実施形態と同様の変更を行ったものを、第７実施形態という。
【００７２】
・前記第２実施形態では、装置本体１４は、携帯機１２からの電磁波出力要求信号の受信に基づいて、携帯機１２からトランスポンダコードを貰うための通信を該携帯機１２と行い、携帯機１２から貰ったトランスポンダコードと自身のトランスポンダコードとが一致した場合にドア施解錠装置２４へ解錠制御信号を出力していた。これに限らず、装置本体１４は、携帯機１２からの電磁波出力要求信号の受信に基づいて、携帯機１２からＩＤコードを貰うための通信を該携帯機１２と行い、携帯機１２から貰ったＩＤコードと自身のＩＤコードとが一致した場合にドア施解錠装置２４へ解錠制御信号を出力するように構成してもよい。以下、この態様の変更を第８実施形態という。
【００７３】
・前記第１実施形態では、エリアＡ１〜Ａ５を有するように電子キーシステム１１を構成していた。これに限らず、図６に示すように、エリアＡ１，Ａ２を省略し、エリアＡ２，Ａ４がドア２２を基準として屋外及び屋内へ形成されるように電子キーシステム１１を構成してもよい。即ち、作動制御装置１３から屋内送信アンテナ１５及び屋内受信アンテナ１７を省略する。屋外送信アンテナ１６は、ドア２２を基準に屋内及び屋外へ向けて第２リクエスト信号（即ち、リクエスト信号）を送信するように構成する。屋外受信アンテナ１８は、ドア２２を基準として屋外及び屋内のＩＤコード信号を受信するように構成する。このような態様の変更において、電子キーシステム１１を用いて屋内からドア２２を開けることができない場合には、手動でドア２２のドア施解錠装置２４を操作して解錠する。以下、この態様の変更を第９実施形態という。このような変更を第２〜第８実施形態において具体化してもよい。
【００７４】
・前記第１〜第９実施形態、及び第９実施形態の態様の変更を反映させた第２〜第８実施形態において、登録装置４４を省略してもよい。
・前記第１〜第９実施形態、及び第９実施形態の態様の変更を反映させた第２〜第８実施形態では、カウンタ２５は、加算方式で経過時間を計数していたが、乗算方式で経過時間を計数してもよい。
【００７５】
・前記第１〜第９実施形態、及び第９実施形態の態様の変更を反映させた第２〜第８実施形態では、カウンタ２５は、加算方式で経過時間を計数していたが、減算方式で経過時間を計数してもよい。この場合、計数値Ｃをリセットした場合には、正の値の所定値となるようにする。閾値Ｔは、リセットした時の計数値Ｃよりも小さな値とする。この場合、「計数値が閾値を超えている」という意味は、「計数値が閾値を跨いでいない」という意味に相当し、「計数値が閾値以下」という意味は、「計数値が閾値を跨いだ」という意味に相当する。また、カウンタ２５は、減算方式に限らず除算方式に変更してもよい。
【００７６】
・上記各実施形態では、住宅の電子キーシステムとして具体化していたが、これらを車両の電子キーシステムとして具体化してもよい。
次に、上記各実施形態及びその態様の変更から把握できる技術的思想について以下に追記する。
【００７７】
（イ）前記復帰手段は、前記ドアの屋外側又は前記屋外の外壁に設けられると共に人によって操作されることにより前記復帰処理を完了する操作スイッチであることを特徴とする請求項４又は請求項５に記載の電子キーシステム。この発明を請求項４に従属させた場合には、作動制御装置は、操作スイッチが操作され、かつ前記携帯機との双方向通信により両ＩＤコードが一致した場合に、ドア錠の解錠を許可する。この発明を請求項５に従属させた場合には、人は、操作スイッチを操作することによりトランスポンダ起動用電波をドアを基準に屋外へ出力させることが可能となる。
【００７８】
（ロ）前記復帰手段は、前記屋外に居る人の指が当てられることにより指紋認証を行う指紋認証装置であり、前記指紋認証装置は、指が当てられた場合に指紋認証を行い、その指紋認証が成立した場合に前記復帰処理を完了することを特徴とする請求項４又は請求項５に記載の電子キーシステム。この発明を請求項４に従属させた場合には、作動制御装置は、指紋認証が成立し、かつ前記携帯機との双方向通信により両ＩＤコードが一致した場合に、ドア錠の解錠を許可する。この発明を請求項５に従属させた場合には、人は、指紋認証が成立することによりトランスポンダ起動用電波をドアを基準に屋外へ出力させることが可能となる。
【００７９】
（ハ）前記復帰手段は、前記屋外に居る人の声紋の認証を行う声紋認証装置であり、前記声紋認証装置は、声紋認証が成立した場合に復帰処理を完了することを特徴とする請求項４又は請求項５に記載の電子キーシステム。この発明を請求項４に従属させた場合には、作動制御装置は、声紋認証が成立し、かつ前記携帯機との双方向通信により両ＩＤコードが一致した場合に、ドア錠の解錠を許可する。この発明を請求項５に従属させた場合には、人は、声紋認証が成立することによりトランスポンダ起動用電波をドアを基準に屋外へ出力させることが可能となる。
【００８０】
（ニ）前記携帯機には、ユーザによって操作されることで前記ＩＤコードを含む解錠情報信号を該携帯機から出力する解錠スイッチを備え、前記制御手段は、前記計数値が前記閾値を跨いでいない場合に前記携帯機から受信した前記解錠情報信号の前記ＩＤコードと前記作動制御装置に記憶しているＩＤコードとが一致すると前記計数値をリセットし、かつ前記ドア錠の解錠を許可し、前記計数値が前記閾値を跨いだ場合に前記携帯機から受信した前記解錠情報信号の前記ＩＤコードと前記作動制御装置に記憶しているＩＤコードとが一致しても前記ドア錠の解錠を許可しないことを特徴とする請求項１乃至請求項６、技術的思想（イ）乃至（ハ）のうちいずれか１項に記載の電子キーシステム。
【００８１】
（ホ）対応する携帯機のＩＤコードと同一のＩＤコードを記憶する記憶手段と、前記ＩＤコードを含むＩＤコード信号を前記携帯機から送信させるためにリクエスト信号を送信する第１送信手段と、前記リクエスト信号に応答して前記携帯機から送信されてくる前記ＩＤコード信号を受信する着信手段と、両ＩＤコードが一致した場合にドア錠の解錠を許可する制御手段とを備えた作動制御装置において、前記携帯機との双方向通信の確立からの経過時間を計数する計数手段を備え、前記制御手段は、前記計数手段が計数している計数値が閾値を跨いでいない場合に前記携帯機との双方向通信による両ＩＤコードが一致すると前記計数値をリセットし、かつ前記ドア錠の解錠を許可し、前記計数値が前記閾値を跨いだ場合に前記携帯機との双方向通信による両ＩＤコードが一致しても前記ドア錠の解錠を許可しないことを特徴とする作動制御装置。このように構成すると、請求項１の作用と同様の作用を奏する。
【図面の簡単な説明】
【００８２】
【図１】第１実施形態の電子キーシステムの概略構成を示すブロック図。
【図２】第１実施形態の電子キーシステムを備えた住宅の一部を示す概略平面図。
【図３】第２実施形態の電子キーシステムの概略構成を示すブロック図。
【図４】態様の変更（第３実施形態）の電子キーシステムの概略構成の一部を示すブロック図。
【図５】態様の変更（第４実施形態）の電子キーシステムの概略構成の一部を示すブロック図。
【図６】第４実施形態の電子キーシステムを備えた住宅の一部を示す概略平面図。
【符号の説明】
【００８３】
１１，５１…電子キーシステム、１２…携帯機、１３…作動制御装置、１９…復帰手段としての操作スイッチ、２２…ドア、２３…外壁、２５…計数手段としてのカウンタ、２６…携帯機側操作スイッチとしての施錠スイッチ、２７…携帯機側操作スイッチとしての解錠スイッチ、３７…第２送信手段としての送信回路、４１…制御手段としてのマイコン、４２…第１送信手段としての送信回路、４３…受信手段としての受信回路、４４…設定手段としての登録装置、４５…第３送信手段としてのトランスポンダ、４６…電磁波発生手段としての送受信回路、５２…復帰手段としての指紋認証装置、５３…復帰手段としての声紋認証装置、Ｃ…計数値、Ｔ…閾値。
【図１】
2006022567.tif 000003
【図２】
2006022567.tif 000004
【図３】
2006022567.tif 000005
【図４】
2006022567.tif 000006
【図５】
2006022567.tif 000007
【図６】
2006022567.tif 000008